(57)【要約】【課題】１回のスキャンで得られたデータから、同一部位に於いて異なる時間分解能を有する画像を再構成するＸ線ＣＴ装置及びその制御プログラムを提供することである。【解決手段】Ｘ線ＣＴ装置１０は、被検体Ｐに向けてＸ線を照射するＸ線管１２と、被検体Ｐを透過したＸ線を検出するＸ線検出器１４と、Ｘ線検出器１４で検出されたＸ線に基づいて被検体Ｐの画像を再構成する画像再構成装置２３ａと、再構成された画像を表示する画像表示部２４と、を備え、Ｘ線管１２とＸ線検出器１４が回転する間に当該被検体Ｐを移動させてスキャンを行う。そして、前記スキャンの範囲にて高時間分解能要求領域と高ＳＮ要求領域を設定し、要求領域毎に、画像再構成装置２３ａで使用されるＸ線検出器１４の検出素子の列数をコンピュータ２５で切り替え、前記列数に基づいて画像を再構成する。【選択図】      図１
2011030666.tif 000002
【特許請求の範囲】
【請求項１】
被検体を載置して該被検体の体軸方向に移動する寝台と、前記被検体に向けてＸ線を照射するＸ線源と、前記被検体を透過したＸ線を検出する検出素子が前記被検体の体軸方向に沿って複数列配列されたＸ線検出手段と、前記Ｘ線検出手段で検出されたＸ線に基づいて前記被検体のデータを逆投影処理することにより画像を再構成する再構成手段と、前記再構成手段によって再構成された画像を表示する表示手段と、を備え、前記Ｘ線源とＸ線検出手段とが回転する間に当該被検体を移動させながらスキャンを行うＸ線ＣＴ装置に於いて、
前記スキャンの範囲に於いて時間分解能が異なる少なくとも第１の要求領域及び第２の要求領域に分けて設定可能な設定手段と、
前記設定手段で前記時間分解能が設定された要求領域毎に、前記再構成手段で使用される前記Ｘ線検出手段の検出素子の列数を切り替える切り替え手段と、
を具備し、
前記再構成手段は、前記切り替え手段で切り替えられた前記列数に基づいて画像を再構成することを特徴とするＸ線ＣＴ装置。
【請求項２】
前記切り替え手段で切り替えられる前記列数から算出される画像数に応じて、前記Ｘ線検出手段の出力を制御する制御手段を更に具備することを特徴とする請求項１に記載のＸ線ＣＴ装置。
【請求項３】
前記表示手段は、前記設定手段で設定される時間分解能を表示することを特徴とする請求項１に記載のＸ線ＣＴ装置。
【請求項４】
前記設定手段で設定された、前記時間分解能が設定された要求領域毎に、前記再構成手段で使用されない前記Ｘ線検出手段の検出素子の列に対して前記Ｘ線を遮蔽する遮蔽手段を更に具備することを特徴とする請求項１に記載のＸ線ＣＴ装置。
【請求項５】
前記表示手段は、前記要求領域毎に時間分解能を表示することを特徴とする請求項１に記載のＸ線ＣＴ装置。
【請求項６】
被検体を載置して該被検体の体軸方向に移動する寝台と、前記被検体に向けてＸ線を照射するＸ線源と、前記被検体を透過したＸ線を検出する検出素子が前記被検体の体軸方向に沿って複数列配列されたＸ線検出手段と、前記Ｘ線検出手段で検出されたＸ線に基づいて前記被検体のデータを逆投影処理することにより画像を再構成する再構成手段と、前記再構成手段によって再構成された画像を表示する表示手段と、を備え、前記Ｘ線源とＸ線検出手段とが回転する間に当該被検体を移動させながらスキャンを行うＸ線ＣＴ装置の制御プログラムに於いて、
前記スキャンの範囲に於いて時間分解能が異なる少なくとも第１の要求領域及び第２の要求領域に分けて設定するように促す手順と、
前記時間分解能が設定された要求領域毎に、前記再構成手段で使用される前記Ｘ線検出手段の検出素子の列数を切り替えるように促す手順と、
切り替えられた前記列数に基づいて画像を再構成するように促す手順と、
を具備することを特徴とするＸ線ＣＴ装置の制御プログラム。
【発明の詳細な説明】
【技術分野】
【０００１】
本発明は、体軸方向に複数列の検出器を有するマルチスライスＸ線ＣＴ装置に関するもので、特に螺旋軌道(ヘリカル)スキャンに於いて、異なる時間分解能を有する１つ以上の領域の画像を一度のスキャンで実現するＸ線ＣＴ装置及びその制御プログラムに関するものである。
【背景技術】
【０００２】
Ｘ線ＣＴの多列化に伴って１回のスキャンで撮影可能な範囲が広がり、動く臓器の周辺と動かない臓器を一度にスキャンする機会が増えてきている。動く臓器の周辺では、モーションアーチファクトが問題になることから、動く臓器の周辺では、ヘリカルスキャンに於ける寝台移動速度（ヘリカルピッチ；ＨＰ）を速く、動かない臓器はＨＰを遅くして収集する、いわゆる可変ヘリカルピッチ（Ｖａｒｉａｂｌｅ  Ｈｅｌｉｃａｌ  Ｐｉｔｃｈ）による方法が知られている（下記特許文献１乃至８参照）。
【先行技術文献】
【特許文献】
【０００３】
【特許文献１】特開平５−２２０１３５号公報
【特許文献２】特開平６−５４８３８号公報
【特許文献３】特開平６−２２９４８号公報
【特許文献４】特開２００７−２７５５５１号公報
【特許文献５】特開２００２−１０９９８号公報
【特許文献６】特開２００２−１０２２１８号公報
【特許文献７】特開２００６−１１０１８３号公報
【特許文献８】特開２００６−３２０５２３号公報
【発明の概要】
【発明が解決しようとする課題】
【０００４】
しかしながら、前述したＶａｒｉａｂｌｅ  Ｈｅｌｉｃａｌ  Ｐｉｔｃｈによる方法では、寝台速度をスキャン中に変えるため、結果的に患者の体動が少なく、高時間分解能が不要だった場合でもＳＮが良い画質を得ることはできない。
【０００５】
また、前述したような１回のスキャンで得られたデータからは、同一部位に於いて異なる時間分解能を有する画像を再構成することができないという問題がある。
【０００６】
したがって本発明は、前記実情に鑑みてなされたものであり、その目的は、１回のスキャンで得られたデータから、同一部位に於いて異なる時間分解能を有する画像を再構成することのできるＸ線ＣＴ装置及びその制御プログラムを提供することである。
【課題を解決するための手段】
【０００７】
すなわち本発明は、
【発明の効果】
【０００８】
本発明によれば、１回のスキャンで得られたデータから、同一部位に於いて異なる時間分解能を有する画像を再構成することのできるＸ線ＣＴ装置及びその制御プログラムを提供することができる。
【図面の簡単な説明】
【０００９】
【図１】本発明に係る第１の実施形態のＸ線ＣＴ装置の構成を概略的に示すブロック図である。
【図２】本発明の第１の実施形態に於けるＸ線ＣＴ装置の動作について説明するためのフローチャートである。
【図３】（ａ）はスキャン範囲Ｓに対して設定される高時間分解能要求領域Ｓ1 と高ＳＮ要求領域Ｓ2 の例を示した図、（ｂ）は時間分解能の一例を示したグラフである。
【図４】再構成で使用される列数をソフトウェア内部で決定する例について説明する図である。
【図５】本発明の第２の実施形態に於けるＸ線ＣＴ装置の動作について説明するためのフローチャートである。
【図６】本発明の第３の実施形態に於けるＸ線ＣＴ装置の動作について説明するためのフローチャートである。
【図７】本発明の第４の実施形態に於けるＸ線ＣＴ装置の動作について説明するためのフローチャートである。
【発明を実施するための形態】
【００１０】
以下、図面を参照して本発明の実施形態について説明する。
【００１１】
（第１の実施形態）
初めに、本発明の第１の実施形態について説明する。
【００１２】
図１は、本発明に係る第１の実施形態のＸ線ＣＴ装置の構成を概略的に示すブロック図である。
【００１３】
図１に於いて、架台１１は、Ｘ線管１２と、コリメータ１３と、Ｘ線検出器１４と、データ収集部１５と、コリメータ駆動部１７と、寝台１８と、寝台駆動部１９及び寝台位置検出器２０等を有して構成される。
【００１４】
放射線源としてのＸ線管１２は、架台１１の外部に設けられる高電圧発生装置３１から高電圧が供給されてＸ線を発生し被検体Ｐに向けてＸ線を照射するものである。高電圧発生装置３１は、Ｘ線制御装置３０の制御に従って高電圧を発生する。
【００１５】
Ｘ線管１２の照射側の近傍には、Ｘ線管１２より照射されたＸ線を所望のスライス幅にするためのコリメータ１３が配置されている。このコリメータ１３は、コリメータ駆動部１７によって被検体Ｐの体軸方向に開閉するもので、Ｘ線を遮蔽するための遮蔽手段である。
【００１６】
また、放射線検出手段としてのＸ線検出器１４は、Ｘ線管１２と対向して配置されるもので、照射されるＸ線量に応じた信号を出力する複数列のＸ線検出素子から構成される。
【００１７】
更に、データ収集部（いわゆるＤＡＳ）１５は、Ａ／Ｄ変換部等によって構成され、前記Ｘ線検出器１４の複数列のＸ線検出素子及び寝台位置検出器２０から、同時に、且つ並列的（パラレル）に検出されて出力されるアナログ撮像データを、マルチプレクサで順番に読み出した後にデジタルデータに変換した後に、架台１１の外部、例えばオペレータ室に設けられる第１再構成部（Ｆｉｒｓｔ  Ｒｅｃｏｎｓｔｒｕｃｔ  Ｕｎｉｔ：ＦＲＵ）２３に当該デジタルデータを出力するものである。
【００１８】
寝台１８は、載置した被検体Ｐを当該被検体Ｐの体軸方向及び対軸と垂直な方向に移動可能に構成されている。この寝台１８は、被検体Ｐを載置する際には、架台１１から離間した位置で寝台面を低く位置させ、撮像時には被検体Ｐの撮像を所望とする範囲が前記Ｘ線管１２とＸ線検出器１４の対の回動中心に位置するように調整される。
【００１９】
また、撮像時には、Ｘ線管１２とＸ線検出器１４の対を被検体Ｐの体軸を中心に回転させると共に、寝台駆動部１９で寝台１８を当該被検体Ｐの体軸方向に移動させることにより、Ｘ線管１２とＸ線検出器１４の被検体Ｐに対する相対的な軌跡が螺旋形状を描く、いわゆるヘリカルスキャンを行うことができる。
【００２０】
また、この寝台１８を体軸方向に移動したときの、寝台１８のＸ線管１２とＸ線検出器１４の対に対する位置は、寝台位置検出器２０によって検出される。
【００２１】
前記ＦＲＵ２３は、図示されない前処理部、画像再構成装置２３ａ等によって構成される。この画像再構成装置２３ａは、被検体Ｐの特定断面の断層画像を再構成する処理部であって、撮像データにぼけや解像度等の基本的な性質を付与するコンボリューション（Ｃｏｍｖｏｌｕｔｉｏｎ）積分を行うコンボリューション処理、及び画像の再構成を行うバックプロジェクション処理をそれぞれ施し、特定断面に対する断層画像を再構成するものである。
【００２２】
操作部２４は、設定手段としての機能を有しているもので、画像表示部２４ａ及び操作コンソール２４ｂによって構成される。画像表示部２４ａは、接続される画像再構成装置２３ａによって再構成された所望とする特定断面の断層画像及び作動状態等の各種データを表示するものであって、ＣＲＴディスプレイ等が用いられる。また、操作コンソール２４ｂは、コンピュータ２５にプログラムやデータの入力及び各種作動を指示するためのキーボード、及び寝台１８の移動速度調整手段としてのスライドボリュームを有して、寝台１８の移動速度を指１本で容易に変更し得るようになっている。この移動速度調整手段にはスライドボリュームの外、スライダックのアクセル（例えば、足踏み式のペダル）、トラックボール及びジョイフルスティク等が用いられる。尚、操作部２４は、グラフィカルユーザインターフェイス（ＧＵＩ）も含んでいる。
【００２３】
コンピュータ２５は、ＦＲＵ２３、操作部２４、画像記憶装置２７、機構制御装置２８、Ｘ線制御装置３０及びコリメータ制御部３２のそれぞれと接続されているもので、ＣＴ装置１０全体を制御する制御手段である。また、コンピュータ１９に内蔵される記憶装置は、コンピュータ１９に於ける各種制御を行うためのプログラム（ソフトウェア）等を記憶するためのものである。更に、コンピュータ２５は、後述する要求領域を切り替えるための切り替え手段としての機能を有している。
【００２４】
画像記憶装置２７は、主に画像再構成装置２３ａで再構成された断層像を記憶するものである。機構制御装置２８は、架台制御部２８ａ及び寝台制御部２８ｂによって構成される。架台制御部２８ａ及び寝台制御部２８ｂは、それぞれコンピュータ１９の制御に従う。架台制御部２８ａは、主にＸ線管１２とＸ線検出器１４の対の回動を制御するものである。また、寝台制御部２８ｂは、主に寝台駆動部１９を制御して、被検体Ｐを寝台１８に載置する際には架台１から離間した位置で寝台面を低く位置させ、撮像時には被検体Ｐの撮像を所望とする範囲が前記Ｘ線管１２とＸ線検出器１４の対の回動中心に位置するように調整する。更に、ヘリカルスキャンを行う際には、寝台１８をＸ線管１２とＸ線検出器１４の対の回動に同期させて、被検体Ｐの体軸方向に移動される。
【００２５】
Ｘ線制御装置３０は、コンピュータ２５の制御に従って、高電圧発生装置３１から供給される高電圧の電力をＸ線管１２に印加するものである。また、高電圧発生装置３１は、高圧トランス等を有して高電圧の電力を発生してＸ線管１２に供給する。
【００２６】
前記コリメータ制御部３２は、コンピュータ２５の制御に従って、Ｘ線管１２より照射されるＸ線の照射量を制御するためにコリメータ駆動部１７を制御する。コリメータ駆動部１７は、コリメータ制御部３２の制御によって、Ｘ線管１２の照射側近傍に配置されているコリメータ１３を開閉し、これによってＸ線管１２から照射されるＸ線の照射量が制御されるようになっている。
【００２７】
このような構成のＸ線ＣＴ装置１０に於いて、撮影時には架台１１内に設置されたＸ線管１２とＸ線検出器１４が被検体Ｐの周囲を連続して回転する。それと共に、被検体Ｐを載置した寝台１８が、寝台駆動部１９によって、被検体Ｐの体軸方向（Ｘ線管１２及びＸ線検出器１４が描く円に対して略垂直な方向）に駆動される。すなわち、Ｘ線管１２及びＸ線検出器１４の、被検体Ｐに対する相対的な軌跡が螺旋形状を描くヘリカルスキャンが行われる。このとき、Ｘ線管１２には、高電圧発生装置３１により高電圧電力が供給される。これにより、被検体ＰにＸ線が照射され、Ｘ線検出器１４にて被検体Ｐを透過したＸ線が検出される。
【００２８】
Ｘ線検出器１４で検出された被検体ＰのＸ線吸収係数に関するデータは、電気信号としてデータ収集部１５に送られ、ここでＡ／Ｄ変換等の処理が行われた後、ＦＲＵ２３に送られる。ＦＲＵ２３は、このデータを基に対数変換等の処理を行って得られる投影データを画像記憶装置２７の図示されない磁気ディスクに送り、該磁気ディスクに上記ヘリカルスキャンにより得られた全データが保存される。
【００２９】
画像再構成装置２３ａは画像記憶装置２７から投影データを読出し、これらのデータに演算処理を行って画像を再構成する。この再構成画像は、画像記憶装置２７に保存される一方、画像表示部２４ａの表示モニタの画面上に被検体Ｐの断層像として表示される。
【００３０】
また、ＦＲＵ２３で得られた投影データは、スキャノグラム作成手段で被検体Ｐの透視像であるスキャノグラムを作成することができる。作成されたスキャノグラムは、画像記憶装置２７に保存される一方、表示モニタの画面上に表示される。
【００３１】
尚、寝台位置検出器２０により得られた寝台１８の位置情報は、データ収集部１５及びＦＲＵ２３を介してコンピュータ２５に送られる。そして、例えば、サンプリングデータの寝台１８上の位置と断層面位置の寝台１８上の位置との距離より求められた重み係数が用いられて補間処理が行われる。
【００３２】
次に、図２のフローチャートを参照して、本第１の実施形態に於けるＸ線ＣＴ装置の動作について説明する。
【００３３】
この第１の実施形態では、ハイブリッド時間分解能スキャンが行われる。
【００３４】
Ｘ線ＣＴ装置ではスキャン計画のために、事前にスキャノグラムを収集するのが一般的である。したがって、先ずステップＳ１にて、スキャノグラム収集が行われる。ここで、スキャノは、最低一方向からのものがあれば良い。次いで、ステップＳ２にて、図３（ａ）に示されるように、スキャン範囲Ｓに対して高時間分解能要求領域Ｓ1 と高ＳＮ要求領域Ｓ2 が、操作部２４にてＧＵＩまたは数値で個別に設定される。
【００３５】
次に、ステップＳ３にて、再構成で使用される列数が、コンピュータ２５の記憶装置内のソフトウェア内部で決定される。ここで、前述した要求領域毎に使用する列数は、予め固定値として有しているものをパラメータとして読み込んでも良いし、操作者が指定しても良い。そして、ステップＳ４にて、図３（ｂ）に示されるように、得られる時間分解能が表示される。この時間分解能の表示は、続くステップＳ５に於いて行われるもので、ＧＵＩにグラフ表示でも良いし、数字でも良い。
【００３６】
ステップＳ６では、他に必要なスキャン条件が設定されて確定される。また、ここでは、再構成で使用される列数が、ソフトウェア内部で決定される。例えば、図４に示されるように、それぞれの要求領域Ｓ1 、Ｓ2 に於いて、白色の部分が再構成に用いられない検出器列であり、ハッチングで示されている部分が再構成に用いられる検出器列である。このように、要求領域の境界では、再構成に使用されるＸ線検出器１４の列数が変わる。この切り替えは段差的でも良いし、ある幅を持って直線的若しくは曲線的に変化させても良い。
【００３７】
そして、ステップＳ７に於いてスキャンが実行される。更にステップＳ８にて、予め決められた列数情報に基づいて、画像再構成装置２３ａによって再構成が行われる。次いで、ステップＳ９及びＳ１０にて、画像が表示されると共に、付帯情報として要求領域毎の時間分解能が画像表示部２４ａに表示される。
【００３８】
このように、第１の実施形態によれば、要求領域毎に最適化したＨＰで高時間分解能要求領域もスキャンを行うことができる。
【００３９】
（第２の実施形態）
次に、本発明の第２の実施形態について説明する。
【００４０】
尚、以下に述べる第２乃至第４の実施形態に於いて、Ｘ線ＣＴ装置の構成及び基本的な動作については、前述した第１の実施形態と同様であるので説明は省略する。
【００４１】
第２の実施形態では、ボリウムＥＣ（ｖｏｌｕｍｅ−ＥＣ）を伴うハイブリッド時間分解能スキャンが行われる。
【００４２】
図５のフローチャートを参照して、本発明の第２の実施形態に於けるＸ線ＣＴ装置の動作について説明する。
【００４３】
ステップＳ２１にてスキャノグラム収集が行われると、続くステップＳ２２にて、ボリウムＥＣで標準偏差（ＳＤ）を指定するなどして、ｍＡ変調の設定が行われる。次いで、ステップＳ２３にて、高時間分解能要求領域Ｓ1 と高ＳＮ要求領域Ｓ2 が、ＧＵＩまたは数値で個別に設定される。
【００４４】
その後、ステップＳ２４にて、要求領域毎にｍＡが調整される。このｍＡの調整方法は、スキャノ画像を解析して得られたｍＡ設定値に対して、使用する列数に応じた値をスケーリングする、或いは、１枚の画像を再構成するのに必要なｖｉｅｗ数であるＶｉｅｗｓＰｅｒＩｍａｇｅに応じた値をスケーリングする、等がある。
【００４５】
そして、ステップＳ２５にて、再構成で使用される列数がソフトウェア内部で決定される。更に、ステップＳ２６にて得られる時間分解能が表示されると、ステップＳ２７にて、時間分解能の表示が行われる。ステップＳ２８では、他に必要なスキャン条件が設定されて確定される。
【００４６】
次に、ステップＳ２９に於いてスキャンが実行されて、ステップＳ３０にて、予め決められた列数情報に基づいて再構成が行われる。更に、ステップＳ３１にて画像が表示されると、ステップＳ３２にて、付帯情報として、要求領域毎の時間分解能が表示される。
【００４７】
このように、第２の実施形態によっても、要求領域毎に最適化したＨＰで高時間分解能要求領域もスキャンを行うことができる。
【００４８】
（第３の実施形態）
次に、本発明の第３の実施形態について説明する。
【００４９】
第３の実施形態では、スキャン中のコリメータ制御を伴うハイブリッド時間分解能スキャンが行われる。
【００５０】
図６のフローチャートを参照して、本発明の第３の実施形態に於けるＸ線ＣＴ装置の動作について説明する。
【００５１】
ステップＳ４１にてスキャノグラム収集が行われると、続くステップＳ４２では、高時間分解能要求領域Ｓ1 と高ＳＮ要求領域Ｓ2 が、ＧＵＩまたは数値で個別に設定される。その後、ステップＳ４３にて、再構成で使用される列数がソフトウェア内部で決定される。更に、ステップＳ４４にて得られる時間分解能が表示されると、ステップＳ４５にて、時間分解能の表示が行われる。
【００５２】
次に、ステップＳ４６に於いて、再構成で使用されない列に該当するデータ（ｖｉｅｗ，ｓｅｇ）にＸ線が曝射されないよう、コリメータ１３の制御が設定される。その後、ステップＳ４７にて、他に必要なスキャン条件が設定されて確定される。
【００５３】
そして、ステップＳ４８に於いてスキャンが実行される。このスキャン中に、前記ステップＳ４６で設定されたとおりに、コリメータ１３がコリメータ制御部３２によって制御されるようにする。このようにしてスキャンが実行されたならば、ステップＳ４９にて、予め決められた列数情報に基づいて再構成が行われる。更に、ステップＳ５０にて画像が表示されると、ステップＳ５１にて、付帯情報として、要求領域毎の時間分解能が表示される。
【００５４】
このように、第３の実施形態によっても、要求領域毎に最適化したＨＰで高時間分解能要求領域もスキャンを行うことができる。
【００５５】
（第４の実施形態）
次に、本発明の第４の実施形態について説明する。
【００５６】
前述した第１乃至第３の実施形態は、スキャン連動でハイブリッド時間分解能を実現する方法についての例である。これに対し、第４の実施形態は、事前に収集されたデータに対してハイブリッド時間分解能再構成を実施する方法についての例である。
【００５７】
図７のフローチャートを参照して、本発明の第４の実施形態に於けるＸ線ＣＴ装置の動作について説明する。
【００５８】
先ず、ステップＳ６１に於いて、スキャノグラム収集が行われてスキャノ画像が表示される。次いで、ステップ６２にて、高時間分解能要求領域Ｓ1 と高ＳＮ要求領域Ｓ2 が、ＧＵＩまたは数値で個別に設定される。
【００５９】
その後、ステップＳ６３にて、再構成で使用される列数がソフトウェア内部で決定される。更に、ステップＳ６４にて得られる時間分解能が表示されると、ステップＳ６５にて、時間分解能の表示が行われる。
【００６０】
ステップＳ６６では、予め決められた列数情報に基づいて再構成が行われる。更に、ステップＳ６７にて画像が表示されると、ステップＳ６８にて、付帯情報として、要求領域毎の時間分解能が表示される。
【００６１】
このように、第４の実施形態によれば、収集されたデータに対してハイブリッド時間分解能再構成を行うので、時間分解能が異なる画像を、同じデータから作成することができる。つまり、希望する画像が得られるまで、何度でも再構成画像を作成することが可能となる。
【００６２】
以上のように、本発明によれば、高ＳＮ要求領域に最適化したＨＰで高時間分解能要求領域もスキャンを行う、すなわち、スキャン中に寝台速度を変えないので、高時間分解能要求領域でも患者の体動が少ない場合はＳＮを優先させた再構成が可能となる。
【００６３】
以上、本発明の実施形態について説明したが、本発明は上述した実施形態に限定されるものではなく、本発明の要旨を逸脱しない範囲で種々の変形実施が可能であるのは勿論である。
【００６４】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、或いは実施形態に示される構成要件が幾つか組合わされても、発明が解決しようとする課題の欄で述べた課題が解決でき、発明の効果の欄で述べられている効果が得られる場合には、この構成要件が削除された構成も発明として抽出され得る。
【産業上の利用可能性】
【００６５】
本発明によれば、１回のスキャンで得られたデータから、同一部位に於いて異なる時間分解能を有する画像を再構成することのできるＸ線ＣＴ装置及びその制御プログラムが得られる。
【符号の説明】
【００６６】
１０…Ｘ線ＣＴ装置、１１…架台、１２…Ｘ線管、１３…コリメータ、１４…Ｘ線検出器、１５…データ収集部、１７…コリメータ駆動部、１８…寝台、１９…寝台駆動部、２０…寝台位置検出器、２３…第１再構成部（Ｆｉｒｓｔ  Ｒｅｃｏｎｓｔｒｕｃｔ  Ｕｎｉｔ：ＦＲＵ）、２３ａ…画像再構成装置、２４…操作部、２４ａ…画像表示部、２４ｂ…操作コンソール、２５…コンピュータ、２７…画像記憶装置、２８…機構制御装置、２８ａ…架台制御部、２８ｂ…寝台制御部、３０…Ｘ線制御装置、３１…高電圧発生装置、３２…コリメータ制御部。
【図１】
2011030666.tif 000003
【図２】
2011030666.tif 000004
【図３】
2011030666.tif 000005
【図４】
2011030666.tif 000006
【図５】
2011030666.tif 000007
【図６】
2011030666.tif 000008
【図７】
2011030666.tif 000009